(57)【要約】  【課題】グルーブに対してグルーブアドレスと隣接するランドのアドレスを交互に記録し、両側に隣接するグルーブアドレスによって、ランドのアドレスを規定する。  【解決手段】ＣＡＶまたはゾーンＣＡＶとされ、ウォブルするグルーブが予め形成され、グルーブおよびグルーブに隣接するランドに情報を記録するようになされ、グルーブのウォブル信号によってアドレスを記録する。アドレスＮがウォブル信号でもって記録される第１の区間と、アドレス（Ｎ−１）または（Ｎ＋１）がウォブル信号でもって記録される第２の区間とが交互に設けられ、２つのグルーブトラックの一方のグルーブトラックの第１の区間と、他方のグルーブトラックの第２の区間とが一致するようにされ、第１の区間からグルーブのアドレスを読み、ランドトラックの両側に位置し、同一アドレスがそれぞれ記録されている第１および第２の区間からランドのアドレスを読む。【選択図】図８
2014063553.tif 000002
【特許請求の範囲】
【請求項１】
ＣＡＶまたはゾーンＣＡＶの光情報記録媒体であって、
ウォブルするグルーブが予め形成され、前記グルーブおよび前記グルーブに隣接するランドに情報を記録するようになされ、
前記グルーブのウォブル信号によってアドレスを記録するようになされ、
前記グルーブにおいて、アドレスＮ（＝１，２，３，・・・）がウォブル信号でもって記録される第１の区間と、アドレス（Ｎ−１）または（Ｎ＋１）がウォブル信号でもって記録される第２の区間とが交互に設けられ、
ランドトラックの両側に位置する２つのグルーブトラックにおいて、一方のグルーブトラックの前記第１の区間と、他方のグルーブトラックの前記第２の区間とが一致するようにされ、
前記第１の区間から前記グルーブのアドレスを読み、前記ランドトラックの両側に位置し、同一アドレスがそれぞれ記録されている前記第１および第２の区間から前記ランドのアドレスを読むようにした光情報記録媒体。
【請求項２】
ＣＡＶまたはゾーンＣＡＶの光情報記録媒体であって、
ウォブルするグルーブが予め形成され、前記グルーブおよび前記グルーブに隣接するランドに情報を記録するようになされ、
前記グルーブのウォブル信号によってアドレスを記録するようになされ、
グルーブトラック上に、ランドの複数のトラックアドレスＮと、ランドの複数のトラックアドレス（Ｎ−１）または（Ｎ＋１）が形成され、
前記ランドのトラックアドレスＮ（＝１，２，３，・・・）は、トラックを横断する方向の両側に隣接するグルーブで、該トラックアドレスＮが、同じ角度位相で形成され、同じ方向にウォブルされることにより形成され、
前記ランドのトラックアドレス（Ｎ−１）または（Ｎ＋１）は、トラックを横断する方向の両側に隣接するグルーブで、該トラックアドレス（Ｎ−１）または（Ｎ＋１）が、同じ角度位相で形成され、同じ方向にウォブルされることにより形成される光情報記録媒体。
【請求項３】
隣接するグルーブおよびランドのアドレスが共通である請求項１に記載の光情報記録媒体。
【請求項４】
光ディスクに渦巻き状または同心円状に前記グルーブが形成され、１周のトラック毎にトラックアドレスが付加される請求項１に記載の光情報記録媒体。
【請求項５】
前記トラックアドレスが分割されてトラック内アドレスが規定される請求項４に記載の光情報記録媒体。
【請求項６】
ＣＡＶまたはゾーンＣＡＶの光情報記録媒体であって、
ウォブルするグルーブが予め形成され、前記グルーブおよび前記グルーブに隣接するランドに情報を記録するようになされ、
前記グルーブのウォブル信号によってアドレスを記録するようになされ、
前記グルーブにおいて、アドレスＮ（＝１，２，３，・・・）がウォブル信号でもって記録される第１の区間と、アドレス（Ｎ−１）または（Ｎ＋１）がウォブル信号でもって記録される第２の区間とが交互に設けられ、
ランドトラックの両側に位置する２つのグルーブトラックにおいて、一方のグルーブトラックの前記第１の区間と、他方のグルーブトラックの前記第２の区間とが一致するようにされた光情報記録媒体を光学的に再生し、
前記第１の区間から前記グルーブのアドレスを読み、前記ランドトラックの両側に位置し、同一アドレスがそれぞれ記録されている前記第１および第２の区間から前記ランドのアドレスを読むようにした光情報記録媒体再生装置。
【請求項７】
ＣＡＶまたはゾーンＣＡＶの光情報記録媒体であって、
ウォブルするグルーブが予め形成され、前記グルーブおよび前記グルーブに隣接するランドに情報を記録するようになされ、
前記グルーブのウォブル信号によってアドレスを記録するようになされ、
グルーブトラック上に、ランドの複数のトラックアドレスＮと、ランドの複数のトラックアドレス（Ｎ−１）または（Ｎ＋１）が形成され、
前記ランドのトラックアドレスＮ（＝１，２，３，・・・）は、トラックを横断する方向の両側に隣接するグルーブで、該トラックアドレスＮが、同じ角度位相で形成され、同じ方向にウォブルされることにより形成され、
前記ランドのトラックアドレス（Ｎ−１）または（Ｎ＋１）は、トラックを横断する方向の両側に隣接するグルーブで、該トラックアドレス（Ｎ−１）または（Ｎ＋１）が、同じ角度位相で形成され、同じ方向にウォブルされることにより形成される光情報記録媒体を光学的に再生する光情報記録媒体再生装置。
【請求項８】
隣接するグルーブおよびランドのアドレスが共通であり、トラッキングサーボに基づいてグルーブおよびランドのアドレスを識別する請求項６に記載の光情報記録媒体。
【請求項９】
前記第１の区間から再生される二つのグルーブアドレスの内の一方を正しいグルーブアドレスとする請求項６に記載の光情報記録媒体再生装置。
【請求項１０】
前記第１の区間および前記第２の区間から読むことができたアドレスを前記ランドアドレスとする請求項６に記載の光情報記録媒体再生装置。
【発明の詳細な説明】
【技術分野】
【０００１】
本開示は、例えば記録可能な光ディスクに適用される光情報記録媒体および光情報記録媒体再生装置に関する。
【背景技術】
【０００２】
従来、レ−ザ光を用いて情報を記録或いは記録情報を再生する光ディスクが実用化されている。光ディスクの種類としては、再生専用型、追記型および書き替え型がある。追記型および書き換え型では、情報の記録のために、予め光ディスクの位置を示すアドレス情報が記録されている必要がある。
【０００３】
アドレス情報を記録する方法して、２種類のものが知られている。その一つは、アドレス情報をプリフォーマットピットとして記録する方式である。他の方式は、溝に対してウォブルと称される溝を形成する信号をアドレス情報によって変調する方式である。プリフォーマットピットを記録することは、ユーザデータの記録用エリアを減少させ、光ディスクの記録容量を減少させる問題がある。ウォブル方式は、そのような問題がない利点がある。なお、溝のことをグルーブと称し、グルーブにより形成されるトラックをグルーブトラックと称する。グルーブは、光ディスクを製造する時に、レーザ光によって照射される部分と定義され、隣接するグルーブ間に挟まれるエリアをランドと称し、ランドにより形成されるトラックをランドトラックと称する。
【０００４】
アドレスをウォブルによって記録する場合、さらなる記録容量の増大のためには、グルーブトラックおよびランドトラックの両方にデータを記録する方法（ランド／グルーブ記録方式と適宜称する）が望ましい。ランド／グルーブ記録方式においては、グルーブトラックに対するアドレス情報は、カッティッグ時にレーザ光を偏向させることによって記録することができる。しかしながら、ランドトラックに対するアドレスをウォブルによって記録することが困難である。ランドトラックを走査した場合には、両側のグルーブトラックのウォブルが再生される。しかも、これらのウォブルは、異なるグルーブトラックの情報であり、ウォブルの位相が揃っておらず、正常に再生することが困難である。
【０００５】
従来からランド／グルーブ記録方式において、グルーブトラックおよびランドトラックの両方のアドレスを再生することを可能とする光ディスクが提案されている。特許文献１に記載されているものは、グルーブトラックにアドレスをウォブルによって記録する場合に、間欠的にアドレスを記録し、且つ隣のグルーブトラックとの間でアドレスの記録位置の位相を反転させるものである。このようにすると、ウォブルトラックを再生する時に元々記録されているアドレス情報が間欠的に再生され、ランドトラックを再生すると、隣接する両側のグルーブトラックのアドレスが交互に再生されることになる。したがって、グルーブ走査時およびランド走査時の何れにおいてもウォブル情報（アドレス情報）を得ることができる。
【０００６】
特許文献２および３に記載のものは、ランドトラックおよびグルーブトラックのそれぞれをウォブルさせ、各トラックの片方の側壁にアドレス情報をウォブルによって記録する。さらに、ウォブルトラックのアドレス情報ブロックとグルーブトラックのアドレス情報ブロックとをトラック方向にずらして配置するものである。
【先行技術文献】
【特許文献】
【０００７】
【特許文献１】特開平９−２１９０２４号公報
【特許文献２】特開２００３−１７８４６４号公報
【特許文献３】特開２００６−２２８２９３号公報
【発明の概要】
【発明が解決しようとする課題】
【０００８】
上述した特許文献１に記載のものは、ランドトラックのアドレスは、隣接する二つのグルーブトラックの内の一方のグルーブトラックのアドレスを再生している。したがって、オフトラックによってグルーブアドレスを読めなくなるおそれが高い。さらに、特許文献１に記載のものでは、グルーブトラックでウォブルが間欠的に存在する。ウォブルは、光ディスク上の位置と対応するクロックを生成するための基になる信号である。クロックは、記録および再生の両方で必要な信号である。したがって、特許文献１のように、グルーブトラックで、ウォブルが存在しない区間が間欠的に存在することは、精度良いクロックを生成する面で不利である。
【０００９】
特許文献２および特許文献３に記載のものでは、ウォブルが途切れることがないので、クロック生成の面での問題がない。しかしながら、基本周波数のウォブルと別に補助情報を記録するために、片側の溝壁をウォブルさせる必要がある。このようなウォブルの形成は、カッティッグ時に単一のレーザ光によっては困難であり、カッティッグ装置が複雑となる問題がある。
【００１０】
したがって、本開示は、グルーブトラックにおいてウォブルが途切れるとことがなく、また、単一ビームによってカッティッグを行うことができる光情報記録媒体および光情報記録媒体再生装置の提供を目的とする。
【課題を解決するための手段】
【００１１】
上述の課題を解決するために、本開示は、ＣＡＶまたはゾーンＣＡＶの光情報記録媒体であって、
ウォブルするグルーブが予め形成され、グルーブおよびグルーブに隣接するランドに情報を記録するようになされ、
グルーブのウォブル信号によってアドレスを記録するようになされ、
グルーブにおいて、アドレスＮ（＝１，２，３，・・・）がウォブル信号でもって記録される第１の区間と、アドレス（Ｎ−１）または（Ｎ＋１）がウォブル信号でもって記録される第２の区間とが交互に設けられ、
ランドトラックの両側に位置する２つのグルーブトラックにおいて、一方のグルーブトラックの第１の区間と、他方のグルーブトラックの第２の区間とが一致するようにされ、
第１の区間からグルーブのアドレスを読み、ランドトラックの両側に位置し、同一アドレスがそれぞれ記録されている第１および第２の区間からランドのアドレスを読むようにした光情報記録媒体である。
本開示は、ＣＡＶまたはゾーンＣＡＶの光情報記録媒体であって、
ウォブルするグルーブが予め形成され、グルーブおよびグルーブに隣接するランドに情報を記録するようになされ、
グルーブのウォブル信号によってアドレスを記録するようになされ、
グルーブトラック上に、ランドの複数のトラックアドレスＮと、ランドの複数のトラックアドレス（Ｎ−１）または（Ｎ＋１）が形成され、
ランドのトラックアドレスＮ（＝１，２，３，・・・）は、トラックを横断する方向の両側に隣接するグルーブで、該トラックアドレスＮが、同じ角度位相で形成され、同じ方向にウォブルされることにより形成され、
ランドのトラックアドレス（Ｎ−１）または（Ｎ＋１）は、トラックを横断する方向の両側に隣接するグルーブで、該トラックアドレス（Ｎ−１）または（Ｎ＋１）が、同じ角度位相で形成され、同じ方向にウォブルされることにより形成される光情報記録媒体である。
【００１２】
本開示は、ＣＡＶまたはゾーンＣＡＶの光情報記録媒体であって、
ウォブルするグルーブが予め形成され、グルーブおよびグルーブに隣接するランドに情報を記録するようになされ、
グルーブのウォブル信号によってアドレスを記録するようになされ、
グルーブにおいて、アドレスＮ（＝１，２，３，・・・）がウォブル信号でもって記録される第１の区間と、アドレス（Ｎ−１）または（Ｎ＋１）がウォブル信号でもって記録される第２の区間とが交互に設けられ、
ランドトラックの両側に位置する２つのグルーブトラックにおいて、一方のグルーブトラックの第１の区間と、他方のグルーブトラックの第２の区間とが一致するようにされた光情報記録媒体を光学的に再生し、
第１の区間からグルーブのアドレスを読み、ランドトラックの両側に位置し、同一アドレスがそれぞれ記録されている第１および第２の区間からランドのアドレスを読むようにした光情報記録媒体再生装置である。
本開示は、ＣＡＶまたはゾーンＣＡＶの光情報記録媒体であって、
ウォブルするグルーブが予め形成され、グルーブおよびグルーブに隣接するランドに情報を記録するようになされ、
グルーブのウォブル信号によってアドレスを記録するようになされ、
グルーブトラック上に、ランドの複数のトラックアドレスＮと、ランドの複数のトラックアドレス（Ｎ−１）または（Ｎ＋１）が形成され、
ランドのトラックアドレスＮ（＝１，２，３，・・・）は、トラックを横断する方向の両側に隣接するグルーブで、該トラックアドレスＮが、同じ角度位相で形成され、同じ方向にウォブルされることにより形成され、
ランドのトラックアドレス（Ｎ−１）または（Ｎ＋１）は、トラックを横断する方向の両側に隣接するグルーブで、該トラックアドレス（Ｎ−１）または（Ｎ＋１）が、同じ角度位相で形成され、同じ方向にウォブルされることにより形成される光情報記録媒体を光学的に再生する光情報記録媒体再生装置である。
【発明の効果】
【００１３】
本開示によれば、グルーブおよびランドの両方に対する記録を行う場合に、グルーブの変調のみで、ランドのアドレスを記録することができる。ランドの走査時に両側のグルーブから再生される二つのグルーブアドレス情報によって当該ランドのアドレス情報が規定される。
【図面の簡単な説明】
【００１４】
【図１】ＢＤフォーマットのアドレスデータの説明のための略線図である。
【図２】ＢＤフォーマットのＡＤＩＰユニットの説明のための略線図である。
【図３】ＢＤフォーマットのＡＤＩＰワードのデータ構造の説明のための略線図である。
【図４】ＭＳＫの説明のための波形図である。
【図５】ＳＴＷの説明のための波形図である。
【図６】ＳＴＷの説明のための波形図である。
【図７】本開示の一実施の形態における光ディスクおよびトラックのウォブルを模式的に示す略線図である。
【図８】本開示の一実施の形態の説明に使用するグルーブ／ランドのアドレス配置の一例を示す略線図である。
【図９】本開示の一実施の形態の説明に使用するグルーブ／ランドのアドレス配置の他の例を示す略線図である。
【図１０】本開示の一実施の形態の再生装置を示すブロック図である。
【発明を実施するための形態】
【００１５】
以下に説明する実施の形態は、本開示の好適な具体例であり、技術的に好ましい種々の限定が付されている。しかしながら、本開示の範囲は、以下の説明において、特に本開示を限定する旨の記載がない限り、これらの実施の形態に限定されないものとする。
以下の説明は、下記の順序にしたがってなされる。
＜１．ＢＤフォーマット＞
＜２．一実施の形態＞
＜３．変形例＞
【００１６】
＜１．ＢＤフォーマット＞
本開示では、アドレス情報のフォーマット等をＢＤ（Blu-ray Disc（登録商標））フォーマットに準じるものとしている。このことによって、実用化されている高密度光ディスクであるＢＤの技術の多くの部分を利用できる。したがって、本開示の説明に先立ってＢＤフォーマットにおけるアドレス情報について説明する。
【００１７】
図１に示すように、書き込まれるメインデータは、ＲＵＢ(Recording Unit Block)の系列（ＲＵＢn+0 ，ＲＵＢn+1 ，ＲＵＢn+2 ，ＲＵＢn+3 ，・・・・）である。ＲＵＢは、メインデータ（記録再生データ）を記録する単位であり、所定の長さ例えば６４ｋバイトとされている。１ＲＵＢ毎に３個のＡＤＩＰ(Address In Pregroove)ワードＡＤＩＰ０、ＡＤＩＰ１、ＡＤＩＰ２が割り当てられている。ＡＤＩＰ０、ＡＤＩＰ１、ＡＤＩＰ２は、互いに同一のアドレス情報を有している。
【００１８】
さらに、一つのＡＤＩＰワードには、８３（ユニットナンバー０−８２）のＡＤＩＰユニットが含まれている。一つのＡＤＩＰワード中には、２４ビットのアドレス情報、１２ビットの補助データ、リファレンス領域、エラー訂正コード等が格納されている。これらの情報は、８３ＡＤＩＰユニット中の例えば６０ＡＤＩＰユニットを使用して表されている。
【００１９】
図２に示すように、合計５６個のウォブルのかたまりがＡＤＩＰユニットとされ、このＡＤＩＰユニットで"0" または"1" の１ビットあるいは同期情報あるいは参照ユニットあるいはモノトーンユニットが表現される。１ウォブルは、例えば基本ウォブル波形（cos(2 πft) ）の１周期である。したがって、１ＡＤＩＰワードが（８３×５６）ウォブルからなる。図２には、ＡＤＩＰユニットの８種類（モノトーンユニット、参照ユニット、４種類の同期ユニットおよびデータの"0" および"1" をそれぞれ表す２種類のデータユニット）が示されている。なお、図２では、スペース上の制約から３５個のウォブルのかたまりが示されている。
【００２０】
図２に示すように、５６ウォブルからなるＡＤＩＰユニットに対して０から５５のウォブル番号を付加して区別すると、例えばウォブル番号が０から２までの区間等は、ＭＳＫ(Minimum Shift Keying)で変調され、リファレンスユニットとデータユニットのウォブル番号１８から５４までがＳＴＷ(Saw Tooth Wobble)で変調される。変調されていないモノトーン・ウォブルは、所定周波数(cos(2πft))の基本波でウォブルする。
【００２１】
ＡＤＩＰワードは、図３に示すようなデータ構造を有する。図３におけるＡＤＩＰユニットタイプが図２におけるＡＤＩＰユニットの種類と対応している。一つのＡＤＩＰワードには、６０ビットのデータが含まれている。
【００２２】
ＭＳＫは、図４に示すように、３個のウォブルによって構成されている。前後のウォブルの周波数が基本波の１．５倍とれているので、中心のウォブルの波形がＭＳＫでない部分に対して極性が反転されている。各ＡＤＩＰユニットの先頭（０−２番目のウォブル）に対して配置され、ＡＤＩＰユニットの先頭位置を検出するために使用される。
【００２３】
さらに、図２に示すように、データ０のＡＤＩＰユニットの先頭から１４〜１６番目のウォブルの位置にＭＳＫが配置され、データ１のＡＤＩＰユニットの先頭から１２〜１４番目のウォブルの位置にＭＳＫが配置される。このように、ＭＳＫの位置によって、データの０と１とが表されている。
【００２４】
データ０のＡＤＩＰユニットにおいて、ＭＳＫが０とされると共に、先頭から１８〜５５番目のウォブルの区間に０を表すＳＴＷが配置される。データ１のＡＤＩＰユニットにおいて、ＭＳＫが１とされると共に、先頭から１８〜５５番目のウォブルの区間に１を表すＳＴＷが配置される。
【００２５】
ＳＴＷ方式は、基本波(cos(2πft))に対して２次高調波(sin(2π2ft)) を加算または減算することによって、のこぎり歯に似た変調波形を生成するものである。２次高調波の振幅は、基本波形の１／４程度の小さなものとされている。データの"0" または"1" によって、加算および減算の一方が選択されるので、変調波形が異なったものとされる。参照ユニットとデータユニットのウォブル番号が１８〜５４の区間に繰り返して記録されている。
【００２６】
このように２種類の方式を使用するのは、各方式の短所を補うことを可能とするためである。ＭＳＫ方式では、ＡＤＩＰユニットの先頭の３個のウォブルを変調することによって１ビットが記録されるので、再生時のデータの位置を決める基準として使うことができる。一方、ＳＴＷ方式は、微小な波形変化として、広い範囲にわたって繰り返し記録されており、再生時には、再生信号を積分して"0" または"1" を判別している。したがって、再生信号をデータの区切りを検出するための情報として使用することが難しい。しかしながら、局所的な記録方式であるＭＳＫ方式は、ディスク上の傷、ゴミ等に起因する欠陥の影響を受けやすい。ＳＴＷ方式は、より長い期間にわたって記録されるので、欠陥の影響を受けにくい利点がある。
【００２７】
図５および図６を参照してＳＴＷ方式の変調ウォブル信号についてより詳細に説明する。図５および図６において、横軸が時間軸を示し、基本ウォブル波形の１周期（すなわち、１ウォブル）が図示され、縦軸が正規化された振幅を示す。図５Ａは、データc(n)が"1" の場合の波形を示し、図６Ａは、データc(n)が"0" の場合の波形を示す。
【００２８】
図５Ａおよび図６Ａにおいて、破線で示す波形が基本ウォブル波形Ｓ０（＝cos(２πft) である。c(n)＝"1" の場合では、基本ウォブル波形Ｓ０に対して２倍の周波数のsin信
号が加算されることによって変調された波形Ｓ１が形成される。すなわち、Ｓ１＝Ａcos(２πft) ＋ａsin(２π2ft)である。Ａ＞ａの関係とされ、例えばＡ＝１，ａ＝０．２とされる。この変調ウォブル波形Ｓ１は、時間方向に対して立ち上がり（ディスクの径方向では、ディスクの外側方向）が基本ウォブル波形Ｓ０に比して緩やかで、立ち下がり（ディスクの径方向では、ディスクの内側方向）が基本ウォブル波形Ｓ０に比して急峻となるように変調された波形である。
【００２９】
図６Ａに示すように、c(n)＝"0" の場合では、基本ウォブル波形Ｓ０に対して２倍の周波数のsin信号が減算されることによって変調された波形Ｓ２が形成される。すなわち、
Ｓ２＝Ａcos(２πft) −ａsin(２π2ft)である。この変調ウォブル波形Ｓ２は、時間方向に対して立ち上がり（ディスクの外側方向）が基本ウォブル波形Ｓ０に比して急峻で、立ち下がり（ディスクの内側方向）が基本ウォブル波形Ｓ０に比して緩やかとなるように変調された波形である。変調ウォブル波形Ｓ１およびＳ２の何れも、ゼロクロス点が基本ウォブル波形と同一の位相となり、再生側におけるクロックを容易に抽出できるようになされている。
【００３０】
図５Ａおよび図６Ａにおいて、波形Ｓ３およびＳ４のそれぞれは、再生側の処理において使用される周波数が基本波の２倍の周波数のsin 信号（sin(２π2ft)）を再生変調ウォブル信号に乗じたものを示す。すなわち、再生変調ウォブル波形Ｓ１×sin(２π2ft)によって波形Ｓ３が得られ、再生変調ウォブル波形Ｓ２×sin(２π2ft)によって波形Ｓ４が得られる。
【００３１】
再生側では、図５Ｂおよび図６Ｂにそれぞれ示すように、波形Ｓ３およびＳ４のそれぞれを１ウォブル周期にわたって積分（積算）することによって積分値ΣＳ３およびΣＳ４が得られる。１ウォブル周期を経過した時点の積分値ΣＳ３が正の値ｖ１となる。一方、１ウォブル周期を経過した時点の積分値ΣＳ４が負の値ｖ０となる。積分値は、例えばｖ１＝＋１、ｖ０＝−１と扱われる。
【００３２】
データの１ビットが５６ウォブルで表されるので、全て＋１であれば、５６ウォブルの積分結果として＋５６が得られ、全て−１であれば、５６ウォブルの積分結果として−５６が得られる。各ウォブルの積分値として求められた再生チップ系列に対して記録時に使用されたのと同一の符号系列が乗算され、その結果を５６ウォブル積分した結果に基づいてデータの１ビット（"1" ／"0" ）が判別される。
【００３３】
＜２．一実施の形態＞
「ＢＤフォーマットとの主たる相違点」
本開示の一実施の形態では、上述したＢＤフォーマットとの主たる相違点は、以下の通りである。
・ＢＤフォーマットでは、線速度一定（以下、ＣＬＶ(Constant Linear Velocity）と
称する）でディスクを回転させるのに対して、本開示では、角速度一定（以下、ＣＡＶ(Constant Angular Velocity: 角速度一定）と称する）でディスクを回転させる。ディスクの半径方向を分割して複数のゾーンを形成し、ゾーン内では、ＣＡＶ制御を行うゾーンＣＡＶを採用しても良い。ＣＡＶまたはゾーンＣＡＶによって渦巻き状のウォブルトラックにおいて、ディスクの半径方向でウォブルの基本波の角度位相が互いに同じものとできる。
【００３４】
・ＢＤフォーマットでは、グルーブに記録するグルーブ記録方式であるのに対して、本開示では、記録容量を増加させるために、グルーブおよびランドの両方に記録を行う。なお、上述したように、溝のことをグルーブと称し、グルーブにより形成されるトラックをグルーブトラックと称する。グルーブは、光ディスクを製造する時に、レーザ光によって照射される部分と定義され、隣接するグルーブ間に挟まれるエリアをランドと称し、ランドにより形成されるトラックをランドトラックと称する。
【００３５】
・グルーブトラックでは、ウォブルアドレスがＢＤと同様に読むことができる。
・ランドトラックでは、隣接する両側のグルーブを同じ信号（同じ周波数且つ同じ位相）にした場合に、ウォブルアドレスを読むことができる。このため、上述したＣＡＶまたはゾーンＣＡＶが必要とされる。
【００３６】
「光ディスクの一例」
図７Ａに示すように、例えばディスクの１周（１トラック）が８分割され、時計回転方向にトラック内のアドレスエリア１、トラック内のアドレスエリア２、・・・・、トラック内のアドレスエリア８が順に規定される。トラックアドレスは、隣接するグルーブアドレスとランドアドレスとの対に対して同一トラックアドレスが規定される。グルーブとランドの区別は、トラッキングサーボに基づいて判別される。すなわち、光ディスク再生装置は、グルーブトラックを再生する場合と、ランドトラックを再生する場合とで、トラッキングの極性を反転するようになされる。このトラッキングの極性に対応してグルーブとランドとを区別することができる。
【００３７】
アドレスは、ウォブルグルーブとして記録され、ウォブルグルーブが内周から外周まで同じ角度位相で形成されている。すなわち、図７Ｂに拡大して示すように、グルーブトラックは、同じ角度位相で同じ径方向にウォブルされるように形成されている。その結果、ランドトラックを走査すると、隣接する両側のグルーブトラックに記録されているアドレスを読み取ることができる。
【００３８】
「アドレス情報の配置（記録）」
図８を参照して本開示の一実施の形態によるアドレス情報の配置について説明する。図８は、ディスク径方向に連続するグルーブトラックおよびランドトラックＬを模式的に示している。一例として、図の上側がディスクの内側（中心側）であり、下側がディスクの外周側である。ディスクの内側から外側に向かってスパイラル状にグルーブが形成され、トラックアドレスが外側に向かって増加するようになされている。さらに、図に向かって左から右へビームスポット（記録／再生ビームスポット）が走査するものする。隣接するグルーブトラックおよびランドトラックのアドレスが共通とされている。図８の例では、グルーブトラックと、その外側のランドトラックとが同一のトラックアドレスを持つようにされている。
【００３９】
グルーブトラックのトラックアドレスは、トラックの１周毎に、・・・，Ｎ−１，Ｎ，Ｎ＋１，Ｎ＋２と規定されている。Ｎ＝１，２，３，・・・である。所定のデータ単位例えば１ＲＵＢがトラックの１周内に例えば３個含まれる。ランドトラックのトラックアドレスも同様に規定される。図８には、トラックアドレスの（１００，１０１，１０２）の部分が示されている。なお、（＃１００ ｉ）の表記は、トラックアドレスが（１００）でトラック内アドレスがｉ（ｉ＝１，２，・・・，８）を意味する。
【００４０】
Ｎ番目のグルーブトラックには、トラックアドレスＮが記録される第１の区間と、トラックアドレス（Ｎ−１）が記録される第２の区間とが交互に設けられている。第１および第２の区間は、例えばトラック内アドレスの区間とされる。（Ｎ＝１００）のグルーブトラックでは、（＃１００ １）（＃９９ ２）（＃１００ ３）（＃９９ ４）（＃１００ ５）（＃９９ ６）・・・とアドレスが記録される。
【００４１】
各グルーブアドレス情報は、ＢＤフォーマットと同様に、ＡＤＩＰワードのデータ構造を有するものとされる。したがって、現行のＢＤ再生装置のデコーダによってアドレス情報を再生することができる。但し、ＢＤフェーダー以外のデータ構造でもってアドレス情報をグルーブに記録するようにしても良い。
【００４２】
次の（Ｎ＋１）番目のグルーブトラックには、トラックアドレス（Ｎ＋１）が記録される第１の区間と、トラックアドレスＮが記録される第２の区間とが交互に設けられている。（Ｎ＝１０１）のトラックアドレスのグルーブトラックでは、（＃１００ １）（＃１０１ ２）（＃１００ ３）（＃１０１ ４）（＃１００ ５）（＃１０１ ６）・・・とアドレスが記録される。この場合、ディスクの径方向の両側に隣接するグルーブ（グルーブトラックアドレスＮおよびグルーブトラックアドレス（Ｎ＋１））で、共通するトラックアドレスＮ（＃１００）が記録されている第１の区間および第２の区間が一致するようにされる。図８の例では、これらの区間が径方向で同一位置に揃うようにされる。すなわち、アドレスＮが同じ径方向にウォブルされ、同じ角度位相で形成される。
【００４３】
このように、グルーブに対してアドレスを記録することによって、Ｎ番目のランドトラックにおいては、両側のグルーブトラックにＮ番目のトラックアドレスの同一のアドレス（＃Ｎ ｉ）が記録されている場合にのみ、アドレスを読むことができる。そうでない区間では、アドレスを得ることができない。図８の例では、（Ｎ＝＃１００）のランドトラックでは、同じ角度位相で形成されている（＃１００ １）（＃１００ ３）（＃１００ ５）・・・が正しいアドレスとして読むことができる。ランドトラックにおいて、Ｘで示す区間は、アドレスを読むことができない区間である。
【００４４】
（Ｎ＝＃１００）のグルーブトラックでは、全てのアドレスを読むことができる。アドレス（＃Ｎ ｉ）（（＃１００ １）（＃１００ ３）（＃１００ ５）・・・）は、正しいアドレスである。但し、（＃Ｎ−１ ｉ）（（＃９９ ２）（＃９９ ４）（＃９９ ５）・・・）は、読むことができるが、正しいアドレスではない。図８において、太線および大きな文字で示すアドレスは、正しいグルーブアドレスおよびランドアドレスを意味している。いつ細線および小さな文字で示すアドレスは、再生できるが、正しくないアドレスを意味している。
【００４５】
さらに、トラックアドレス（Ｎ＋１）（例えば＃１０１）のランドトラックにおいては、両側のグルーブトラックに同一のアドレス（＃Ｎ＋１ ｉ）が記録されている場合にのみ、アドレスを読むことができる。そうでない区間では、アドレスを得ることができない。図８の例では、（＃１０１）のランドトラックでは、同じ角度位相で形成されている（＃１０１ ２）（＃１０１ ４）（＃１０１ ６）・・・が正しいアドレスとして読むことができる。ランドトラックにおいて、Ｘで示す区間は、アドレスを読むことができない区間である。
【００４６】
（Ｎ＝＃１０１）のグルーブトラックでは、全てのアドレスを読むことができる。アドレス（＃Ｎ＋１ ｉ）（（＃１０１ ２）（＃１０１ ４）（＃１０１ ６）・・・）は、正しいアドレスである。但し、（＃Ｎ ｉ）（（＃１００ １）（＃１００ ３）（＃１００ ６）・・・）は、読むことができるが、正しいアドレスではない。
【００４７】
上述したように、本開示の一実施の形態では、グルーブトラックＮでは、トラックアドレスＮとトラックアドレス（Ｎ−１）とが交互に再生される。この二つのトラックアドレスが交互に再生される条件で、より数の大きいトラックアドレスＮが正しいものとされる。トラックアドレス（Ｎ−１）は、正しくないアドレスであるので、正しいトラックアドレスＮに置き換えられる。トラック内アドレスは、連続性に基づいて補間することができる。
【００４８】
ランドトラックＮでは、読むことができたトラックアドレスが正しいアドレスと扱われる。区間毎に交互にランドトラックアドレスを読むことができる。読めないアドレスは、正しいトラックアドレスＮに置き換えられる。トラック内アドレスは、連続性に基づいて補間することができる。
【００４９】
上述した図８の例では、グルーブトラックと、その外側のランドトラックとが同一のトラックアドレスを持つようにされている。しかしながら、グルーブトラックと、その内側のランドトラックとが同一のトラックアドレスを持つようにしても良い。この場合では、
トラックアドレスＮのグルーブトラックには、第１の区間にトラックアドレスＮが記録され、第２の区間にトラックアドレス（Ｎ＋１）が記録される。
【００５０】
「トラックアドレスの配置の変形例」
図９に、トラックアドレスの配置の変形例を示す。アドレスＮのグルーブトラックにおいて、アドレスＮが記録される第１の区間が連続する二つのトラック内アドレスによって形成される。第１の区間を３以上のトラック内アドレスの区間によって形成しても良い。図９に示すアドレス配置では、グルーブトラックでは、正しいアドレスが連続して２回得られる。正しいグルーブトラックアドレスとして、より数の大きい方のアドレスが採用される。正しいグルーブトラックアドレスが得られない区間は、補間によって正しいアドレスを得ることができる。ランドトラックでは、２つのトラック内アドレスが正しいアドレスとして読むことができる。読めない区間は、補間によって正しいランドトラックアドレスを得ることができる。
【００５１】
「ディスク再生装置」
本開示の一実施の形態によるディスク再生装置について、アドレスの再生を主に説明する。図１０に示すように、グルーブアドレスおよびランドアドレスが記録されている光ディスク１に対してデータが記録され、光ディスク１からデータが再生される。
【００５２】
光ディスク１がスピンドルモータ２によって角速度一定で回転される。すなわち、光ディスク１がＣＡＶ方式で回転される。ゾーンＣＡＶ方式を使用しても良い。光学ヘッド３に対してレーザ駆動部４からの駆動信号が供給され、記録データ５に応じて強度が変調されたレーザビームが光学ヘッド３から光ディスク１に対して照射され、再生されたアドレス情報に基づいて決定された光ディスク１の所定の位置にデータが記録される。
【００５３】
光ディスク１に対して光学ヘッド３からの読み取りレーザビームが照射され、その反射光が光学ヘッド３内のフォトディテクタによって検出され、信号検出部６によって再生信号が検出される。信号検出部６からは、再生信号７、フォーカスエラー信号、トラッキングエラー信号等のサーボエラー信号８、並びにウォブル信号９が取り出される。
【００５４】
ウォブル信号９は、トラック方向で光検出素子が２分割された検出器の出力信号である。例えば二つの検出器の和の信号がウォブル信号９として取り出される。ウォブル信号９は、ウォブル波形に応じたものとなる。トラックの両側のウォブルが同一位相の場合に、ウォブル信号９のレベルが最大となり、両側のウォブルが逆位相の場合に、ウォブル信号９のレベルが最小となる。
【００５５】
エラー信号８がサーボ回路１０に供給される。サーボ回路１０によってスピンドルモータ２の回転が角速度一定に制御され、光学ヘッド３のフォーカスおよびトラッキングが制御される。
【００５６】
信号検出部６により検出されたウォブル信号９がＡ／Ｄコンバータ１１に供給され、Ａ／Ｄコンバータ１１によってディジタル信号に変換される。Ａ／Ｄコンバータ１１の出力信号がデジタルＰＬＬ（Phase Locked Loop ）１２に供給される。ＰＬＬ１２から再生信号と同期したクロックが出力される。クロックが再生時の処理のタイミングの基準とされる。
【００５７】
ウォブル信号のデジタル出力がＡＤＩＰデコーダ１３に供給される。ＡＤＩＰデコーダ１３は、ＡＤＩＰワード毎にＳＴＷとして記録されているアドレスデータ等を復号し、エラー訂正を行う。ＡＤＩＰデコーダ１３により復号されたアドレスデータがアドレス抽出部１４に供給される。
【００５８】
アドレス抽出部１４では、トラッキングサーボに基づいてグルーブトラックとランドトラックとを識別する。上述したように、正しいトラックアドレスを選択すると共に、正しいアドレスが得られない区間のトラックアドレスを補間によって生成する。
【００５９】
＜３．変形例＞
以上、本開示の実施の形態について具体的に説明したが、上述の各実施の形態に限定されるものではなく、本開示の技術的思想に基づく各種の変形が可能である。例えば、上述の実施の形態において挙げた構成、方法、工程、形状、材料および数値などはあくまでも例に過ぎず、必要に応じてこれと異なる構成、方法、工程、形状、材料および数値などを用いても良い。
【００６０】
なお、本開示は、以下のような構成も取ることができる。
（１）
ＣＡＶまたはゾーンＣＡＶの光情報記録媒体であって、
ウォブルするグルーブが予め形成され、前記グルーブおよび前記グルーブに隣接するランドに情報を記録するようになされ、
前記グルーブのウォブル信号によってアドレスを記録するようになされ、
前記グルーブにおいて、アドレスＮ（＝０，１，２，３，・・・）がウォブル信号でもって記録される第１の区間と、アドレス（Ｎ−１）または（Ｎ＋１）がウォブル信号でもって記録される第２の区間とが交互に設けられ、
ランドトラックの両側に位置する２つのグルーブトラックにおいて、一方のグルーブトラックの前記第１の区間と、他方のグルーブトラックの前記第２の区間とが一致するようにされ、
前記第１の区間から前記グルーブのアドレスを読み、前記ランドトラックの両側に位置し、同一アドレスがそれぞれ記録されている前記第１および第２の区間から前記ランドのアドレスを読むようにした光情報記録媒体。
（２）
ＣＡＶまたはゾーンＣＡＶの光情報記録媒体であって、
ウォブルするグルーブが予め形成され、前記グルーブおよび前記グルーブに隣接するランドに情報を記録するようになされ、
前記グルーブのウォブル信号によってアドレスを記録するようになされ、
グルーブトラック上に、ランドの複数のトラックアドレスＮと、ランドの複数のトラックアドレス（Ｎ−１）または（Ｎ＋１）が形成され、
前記ランドのトラックアドレスＮ（＝０，１，２，３，・・・）は、トラックを横断する方向の両側に隣接するグルーブで、該トラックアドレスＮが、同じ角度位相で形成され、同じ方向にウォブルされることにより形成され、
前記ランドのトラックアドレス（Ｎ−１）または（Ｎ＋１）は、トラックを横断する方向の両側に隣接するグルーブで、該トラックアドレス（Ｎ−１）または（Ｎ＋１）が、同じ角度位相で形成され、同じ方向にウォブルされることにより形成される光情報記録媒体。
（３）
隣接するグルーブおよびランドのアドレスが共通である（１）（２）の何れかに記載の光情報記録媒体。
（４）
光ディスクに渦巻き状または同心円状に前記グルーブが形成され、１周のトラック毎にトラックアドレスが付加される（１）（２）（３）の何れかに記載の光情報記録媒体。
（５）
前記トラックアドレスが分割されてトラック内アドレスが規定される（４）に記載の光情報記録媒体。
（６）
ＣＡＶまたはゾーンＣＡＶの光情報記録媒体であって、
ウォブルするグルーブが予め形成され、前記グルーブおよび前記グルーブに隣接するランドに情報を記録するようになされ、
前記グルーブのウォブル信号によってアドレスを記録するようになされ、
前記グルーブにおいて、アドレスＮ（＝０，１，２，３，・・・）がウォブル信号でもって記録される第１の区間と、アドレス（Ｎ−１）または（Ｎ＋１）がウォブル信号でもって記録される第２の区間とが交互に設けられ、
ランドトラックの両側に位置する２つのグルーブトラックにおいて、一方のグルーブトラックの前記第１の区間と、他方のグルーブトラックの前記第２の区間とが一致するようにされた光情報記録媒体を光学的に再生し、
前記第１の区間から前記グルーブのアドレスを読み、前記ランドトラックの両側に位置し、同一アドレスがそれぞれ記録されている前記第１および第２の区間から前記ランドのアドレスを読むようにした光情報記録媒体再生装置。
（７）
ＣＡＶまたはゾーンＣＡＶの光情報記録媒体であって、
ウォブルするグルーブが予め形成され、前記グルーブおよび前記グルーブに隣接するランドに情報を記録するようになされ、
前記グルーブのウォブル信号によってアドレスを記録するようになされ、
グルーブトラック上に、ランドの複数のトラックアドレスＮと、ランドの複数のトラックアドレス（Ｎ−１）または（Ｎ＋１）が形成され、
前記ランドのトラックアドレスＮ（＝０，１，２，３，・・・）は、トラックを横断する方向の両側に隣接するグルーブで、該トラックアドレスＮが、同じ角度位相で形成され、同じ方向にウォブルされることにより形成され、
前記ランドのトラックアドレス（Ｎ−１）または（Ｎ＋１）は、トラックを横断する方向の両側に隣接するグルーブで、該トラックアドレス（Ｎ−１）または（Ｎ＋１）が、同じ角度位相で形成され、同じ方向にウォブルされることにより形成される光情報記録媒体を光学的に再生する光情報記録媒体再生装置。
（８）
隣接するグルーブおよびランドのアドレスが共通であり、トラッキングサーボに基づいてグルーブおよびランドのアドレスを識別する（６）（７）の何れかに記載の光情報記録媒体。
（９）
前記第１の区間から再生される二つのグルーブアドレスの内の一方を正しいグルーブアドレスとする（６）（７）の何れかに記載の光情報記録媒体再生装置。
（１０）
前記第１の区間および前記第２の区間から読むことができたアドレスを前記ランドアドレスとする（６）（７）の何れかに記載の光情報記録媒体再生装置。
【符号の説明】
【００６１】
１・・・光ディスク
２・・・スピンドルモータ
３・・・光学ヘッド
１２・・・ＰＬＬ
１３・・・ＡＤＩＰデコーダ
１４・・・アドレス抽出部
【図１】
2014063553.tif 000003
【図２】
2014063553.tif 000004
【図３】
2014063553.tif 000005
【図４】
2014063553.tif 000006
【図５】
2014063553.tif 000007
【図６】
2014063553.tif 000008
【図７】
2014063553.tif 000009
【図８】
2014063553.tif 000010
【図９】
2014063553.tif 000011
【図１０】
2014063553.tif 000012